(57)【要約】【課題】一例として、フレキシブルプリント配線板の損傷等の不都合が生じにくい電子機器を得る。【解決手段】実施形態にかかる電子機器は、第一筐体と、第二筐体と、第一フレキシブルプリント配線板と、押部材と、を備えた。前記第二筐体は、前記第一筐体がスライド可能に連結された。前記第一フレキシブルプリント配線板は、第一延在部と、第二延在部と、湾曲状の第一折り返し部と、を有した。前記押部材は、前記第一延在部に重ねられた第三延在部と、第四延在部と、湾曲状の第二折り返し部と、を有した。【選択図】図３
2014093309.tif 000002
【特許請求の範囲】
【請求項１】
第一電子部品を収容した第一筐体と、
前記第一筐体がスライド可能に連結され、第二電子部品を収容した第二筐体と、
第一筐体に対して固定され、前記第一電子部品に電気的に接続された第一端部と、前記第二筐体に対して固定され、前記第二電子部品に電気的に接続された第二端部と、前記第一端部を有し前記第二筐体に対する前記第一筐体のスライド方向に沿って設けられた第一延在部と、前記第二端部を有し前記スライド方向に沿って設けられ前記第一延在部に間隔をあけて並べられた第二延在部と、前記第一延在部における前記第一端部とは反対側の端部と前記第二延在部における前記第二端部とは反対側の端部とを接続した湾曲状の第一折り返し部と、を有した第一フレキシブルプリント配線板と、
第一筐体に対して固定された第三端部と、前記第二筐体に対して固定された第四端部と、前記第三端部を有し前記スライド方向に沿って設けられ、前記第一延在部における前記第二延在部とは反対側に重ねられた第三延在部と、前記第四端部を有し前記スライド方向に沿って設けられ前記第三延在部に間隔をあけて並べられた第四延在部と、前記第一折り返し部から遠ざかる方向に第三延在部における前記第三端部とは反対側の端部から延出し前記第四延在部における前記第四端部とは反対側の端部へ至った湾曲状の第二折り返し部と、を有した押部材と、
を備えた電子機器。
【請求項２】
前記押部材は、第二フレキシブルプリント配線板である請求項１に記載の電子機器。
【請求項３】
前記第一フレキシブルプリント配線板は、前記第一延在部と前記第二延在部とが離れる方向への弾性力を有し、
前記押部材は、前記第三延在部と前記第四延在部とが離れる方向への弾性力を有した請求項１または２に記載の電子機器。
【請求項４】
前記第一延在部と前記第三延在部との間に位置された板部材を備え、
前記第三延在部は、前記板部材を介して前記第一延在部における前記第二延在部とは反対側に重ねられた請求項１ないし３のいずれか一項に記載の電子機器。
【請求項５】
前記板部材は、前記第一フレキシブルプリント配線板の幅方向の両端部に亘って設けられた請求項４に記載の電子機器。
【請求項６】
前記板部材は、前記第一フレキシブルプリント配線板の幅方向の両端部にそれぞれ設けられた請求項４に記載の電子機器。
【請求項７】
前記第二筐体に設けられ、前記第一延在部と前記第三延在部とが通された孔が設けられ、前記第二端部と前記第四端部とが固定された固定部材を備えた請求項１ないし６のいずれか一項に記載の電子機器。
【請求項８】
前記第一フレキシブルプリント配線板に面する前記孔の周面の端部に湾曲状の部分が設けられた請求項７に記載の電子機器。
【請求項９】
前記第一フレキシブルプリント配線板に面する前記孔の周面の端部に、周囲よりも摩擦係数が小さい部分が設けられた請求項７に記載の電子機器。
【請求項１０】
第一電子部品を収容した第一筐体に対して固定され、前記第一電子部品に電気的に接続された第一端部と、前記第一筐体がスライド可能に連結され第二電子部品を収容した前記第二筐体に対して固定され、前記第二電子部品に電気的に接続された第二端部と、前記第一端部を有し前記第二筐体に対する前記第一筐体のスライド方向に沿って設けられた第一延在部と、前記第二端部を有し前記スライド方向に沿って設けられ前記第一延在部に間隔をあけて並べられた第二延在部と、前記第一延在部における前記第一端部とは反対側の端部と前記第二延在部における前記第二端部とは反対側の端部とを接続した湾曲状の第一折り返し部と、を有したフレキシブルプリント配線板と、
第一筐体に対して固定された第三端部と、前記第二筐体に対して固定された第四端部と、前記第三端部を有し前記スライド方向に沿って設けられ、前記第一延在部における前記第二延在部とは反対側に重ねられた第三延在部と、前記第四端部を有し前記スライド方向に沿って設けられ前記第三延在部に間隔をあけて並べられた第四延在部と、前記第一折り返し部から遠ざかる方向に第三延在部における前記第三端部とは反対側の端部から延出し前記第四延在部における前記第四端部とは反対側の端部へ至った湾曲状の第二折り返し部と、を有した押部材と、
を備えた電気接続装置。
【発明の詳細な説明】
【技術分野】
【０００１】
本発明の実施形態は、電子機器および電気接続装置に関する。
【背景技術】
【０００２】
従来、相互にスライド可能に連結された二つの筐体と、それら二つの筐体に間に亘って設けられたフレキシブルプリント配線板とを備えた電子機器が知られている。
【先行技術文献】
【特許文献】
【０００３】
【特許文献１】特開２０００−５０４７２号公報
【発明の概要】
【発明が解決しようとする課題】
【０００４】
この種の電子機器では、フレキシブルプリント配線板に例えば損傷等の不都合が生じにくいことが望まれている。
【０００５】
そこで、本発明の実施形態は、一例として、フレキシブルプリント配線板の損傷等の不都合が生じにくい電子機器を得ることを、目的の一つとする。
【課題を解決するための手段】
【０００６】
実施形態にかかる電子機器は、第一筐体と、第二筐体と、第一フレキシブルプリント配線板と、押部材と、を備えた。前記第一筐体は、第一電子部品を収容した。前記第二筐体は、前記第一筐体がスライド可能に連結され、第二電子部品を収容した。前記第一フレキシブルプリント配線板は、第一筐体に対して固定され、前記第一電子部品に電気的に接続された第一端部と、前記第二筐体に対して固定され、前記第二電子部品に電気的に接続された第二端部と、前記第一端部を有し前記第二筐体に対する前記第一筐体のスライド方向に沿って設けられた第一延在部と、前記第二端部を有し前記スライド方向に沿って設けられ前記第一延在部に間隔をあけて並べられた第二延在部と、前記第一延在部における前記第一端部とは反対側の端部と前記第二延在部における前記第二端部とは反対側の端部とを接続した湾曲状の第一折り返し部と、を有した。前記押部材は、第一筐体に対して固定された第三端部と、前記第二筐体に対して固定された第四端部と、前記第三端部を有し前記スライド方向に沿って設けられ、前記第一延在部における前記第二延在部とは反対側に重ねられた第三延在部と、前記第四端部を有し前記スライド方向に沿って設けられ前記第三延在部に間隔をあけて並べられた第四延在部と、前記第一折り返し部から遠ざかる方向に第三延在部における前記第三端部とは反対側の端部から延出し前記第四延在部における前記第四端部とは反対側の端部へ至った湾曲状の第二折り返し部と、を有した。
【図面の簡単な説明】
【０００７】
【図１】図１は、第１実施形態にかかる電子機器の展開状態の一例の斜視図である。
【図２】図２は、第１実施形態にかかる電子機器の重なり状態の一例の斜視図である。
【図３】図３は、第１実施形態にかかる電子機器の展開状態の一例の断面側面図である。
【図４】図４は、第１実施形態にかかる電子機器の中間状態の一例の断面側面図である。
【図５】図５は、第１実施形態にかかる電子機器の重なり状態の一例の断面側面図である。
【図６】図６は、第１実施形態にかかる電子機器の展開状態での電気接続装置の一例の側面図である。
【図７】図７は、第１実施形態にかかる電子機器の中間状態での電気接続装置の一例の側面図である。
【図８】図８は、第１実施形態にかかる電子機器の重なり状態での電気接続装置の一例の側面図である。
【図９】図９は、図８のＦ９−Ｆ９断面図である。
【図１０】図１０は、第１実施形態にかかる電気接続装置の一例の断面側面図である。
【図１１】図１１は、第１実施形態にかかる電気接続装置の一部の一例の分解図である。
【図１２】図１２は、第１実施形態にかかる電気接続装置の一部の一例を示す側面図である。
【図１３】図１３は、第２実施形態にかかる電気接続装置の一部の一例を示す断面側面図である。
【図１４】図１４は、第３実施形態にかかる電気接続装置の一部の一例を示す底面図である。
【図１５】図１５は、第３実施形態にかかる電気接続装置の一部の一例を示す断面図である。
【図１６】図１６は、第４実施形態にかかる電子機器の展開状態での電気接続装置の一例の側面図である。
【図１７】図１７は、第４実施形態にかかる電子機器の中間状態での電気接続装置の一例の側面図である。
【図１８】図１８は、第４実施形態にかかる電子機器の重なり状態での電気接続装置の一例の側面図である。
【図１９】図１９は、第４実施形態にかかる電気接続装置の一部の一例の分解図である。
【図２０】図２０は、第５実施形態にかかる電気接続装置の一部の一例をスライド方向から見て示す図である。
【図２１】図２１は、第５実施形態にかかる電気接続装置の一部の分解図である。
【発明を実施するための形態】
【０００８】
以下、図面を参照して、実施形態について詳細に説明する。なお、以下の複数の実施形態には、同様の構成要素が含まれている。よって、以下では、それら同様の構成要素には共通の符号を付与するとともに、重複する説明を省略する。
【０００９】
［第１実施形態］
本実施形態では、一例として、図１，２に示されるように、電子機器１は、第一筐体３と第二筐体２とを備える。第一筐体３は、表示装置４（第一電子部品）の少なくとも一部を収容する。第二筐体２は、回路基板６（第二電子部品、図３参照）を収容する。第二筐体２には、キーボード７（入力操作部、入力受付部、入力部）等が設けられる。
【００１０】
第一筐体３と第二筐体２とは、連結機構（接続部、連結部、接続機構、支持機構）によって、スライド（移動）可能に接続されている。即ち、第二筐体２に第一筐体３がスライド可能に連結されている。第一筐体３および第二筐体２は、連結機構により、図１，３に示される展開状態と、図２，５に示される重なり状態との間でスライド可能に連結されている。即ち、本実施形態では、第二筐体２は、第一筐体３を連結機構を介してスライド可能に支持している。
【００１１】
本実施形態では、一例として、表示装置４の表示画面４ａは、第一筐体３の面３ａ（前面、正面、第一面、第一面部）に設けられた開口部３ｒから露出している。また、キーボード７は、第二筐体２の面２ａ（上面、正面、第一面、第一面部）に露出している。重なり状態では、第一筐体３の面３ａの反対側の面３ｂと第二筐体２の面２ａとが重なり、キーボード７が、第一筐体３に隠される。展開状態では、第二筐体２の面２ａが露出され、キーボード７が使用可能（操作可能）になる。
【００１２】
第一筐体３は、本実施形態では、一例として、正面視および背面視では矩形状（本実施形態では、一例として長方形状）に構成されている。また、第一筐体３は、本実施形態では、一例として、前後方向に薄い扁平な直方体状に構成されている。第一筐体３は、面３ａ（前面、正面、第一面、第一面部）とこの反対側の面３ｂ（後面、背面、第二面、第二面部）と、を有する。面３ａと面３ｂとは略並行している。また、第一筐体３は、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１３】
また、第一筐体３は、面３ａを有する壁部３ｋ（第一部分、プレート、フレーム、前壁部、表壁部、天壁部）と、面３ｂを有する壁部３ｍ（第二部分、プレート、後壁部、裏壁部、底壁部）と、を有する。壁部３ｋ，３ｍは、矩形状（本実施形態では、一例として長方形状）である。また、第一筐体３は、壁部３ｋと壁部３ｍとの間に亘った面３ｐ（側面、周面、第三面）を有する四つの壁部３ｎ（第三部分、プレート、側壁部、端壁部、立壁部、亘部）を有する。なお、壁部３ｋには、一例としては矩形状の開口部３ｒが設けられている。よって、壁部３ｋは、矩形状かつ枠状である。
【００１４】
さらに、第一筐体３は、複数の部品（分割体）が組み合わせられて構成されることができる。第一筐体３は、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、第一筐体３は、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００１５】
第一筐体３は、金属材料や、合成樹脂材料等で構成されることができる。第一筐体部材３１および第二筐体部材３２は、比較的剛性の低い材料（第三筐体部材や第四筐体部材より剛性の低い材料、例えば合成樹脂材料等）で構成されることができる。なお、第一筐体部材３１や第二筐体部材３２の第一筐体３内側には、リブ等の壁部（突出部、突出壁部、図示されず）が設けられることができる。壁部により、第一筐体３の剛性が高くなりやすい。
【００１６】
また、本実施形態では、一例として、図１，２に示されるように、表示装置４（表示部、ディスプレイ、パネル）の、面３ａ側に位置した表示画面４ａは、開口部３ｒを介して第一筐体３の前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid  crystal  display）や有機ＥＬディスプレイ（ＯＥＬＤ，organic  electro-luminescent  display）等である。
【００１７】
また、本実施形態では、一例として、表示装置４の前側（表側、壁部３ｋ側）には、入力操作パネル５（一例としてはタッチパネル、タッチセンサ、操作面）が設けられている。入力操作パネル５は、透明な比較的薄い矩形状に構成され、表示画面４ａを覆っている。操作者（ユーザ等）は、例えば、手指や部品（例えばスタイラス等、図示されず）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから第一筐体３の前方（外方）へ出る。入力操作パネル５は、入力部の一例である。
【００１８】
第二筐体２は、本実施形態では、一例として、図１，２に示されるように、正面視および背面視では矩形状（本実施形態では、一例として長方形状）に構成されている。また、第二筐体２は、本実施形態では、一例として、前後方向に薄い扁平な直方体状に構成されている。第二筐体２は、面２ａ（上面、正面、第一面、第一面部）とこの反対側の面２ｂ（下面、背面、第二面、第二面部）と、を有する。面２ａと面２ｂとは略並行している。また、第二筐体２は、正面視では、四つの端部２ｃ〜２ｆ（辺部、縁部）と、四つの角部２ｇ〜２ｉ（尖部、曲部、端部、（一つは図示されず））と、を有する。端部２ｃ，２ｅは、長辺部の一例である。また、端部２ｄ，２ｆは、短辺部の一例である。端部２ｅは奥行方向（前後方向）の奥側に位置され、端部２ｃは手前側に位置されている。
【００１９】
また、第二筐体２は、面２ａを有する壁部２ｋ（第一部分、プレート、フレーム、前壁部、表壁部、天壁部）と、面２ｂを有する壁部２ｍ（第二部分、プレート、後壁部、裏壁部、底壁部、図３参照）と、を有する。壁部２ｋ，２ｍは、矩形状（本実施形態では、一例として長方形状）である。また、第二筐体２は、壁部２ｋと壁部２ｍとの間に亘った面２ｐ（側面、周面、第三面）を有する四つの壁部２ｎ（第三部分、プレート、側壁部、端壁部、立壁部、亘部）を有する。なお、壁部２ｋには、一例としては矩形状の開口部２ｒが設けられている。よって、壁部２ｋは、矩形状かつ枠状である。
【００２０】
さらに、第二筐体２は、複数の部品（分割体）が組み合わせられて構成されることができる。第二筐体２は、本実施形態では、一例として、少なくとも壁部２ｋを含む第一筐体部材２１（第一部分、前側部材、マスク、マスク部、カバー、フロントカバー、カバー部、第一領域）と、少なくとも壁部２ｍを含む第二筐体部材２２（第二部分、後側部材、ベース、ベース部、ボトム、ボトム部、カバー、リヤカバー、カバー部、第二領域）とを有する。壁部２ｎは、第一筐体部材２１および第二筐体部材２２のうち少なくともいずれか一方（例えば、第二筐体部材２２）に含まれる。また、第二筐体２は、第一筐体部材２１および第二筐体部材２２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００２１】
第二筐体２は、金属材料や、合成樹脂材料等で構成されることができる。第一筐体部材２１および第二筐体部材２２は、比較的剛性の低い材料（第三筐体部材や第四筐体部材より剛性の低い材料、例えば合成樹脂材料等）で構成されることができる。なお、第一筐体部材２１や第二筐体部材２２の第二筐体２内側には、リブ等の壁部（突出部、突出壁部、図示されず）が設けられることができる。壁部により、第二筐体２の剛性が高くなりやすい。
【００２２】
また、本実施形態では、一例として、図１，２に示されるように、キーボード７の操作面７ａ（面、上面）は、開口部２ｒを介して第二筐体２の前方（外方）に露出している。
【００２３】
そして、本実施形態では、一例として、図３〜５に示されるように、第二筐体２内には、キーボード７の後側（裏側、背後側、壁部２ｍ側、操作面７ａとは反対側）に、回路基板６（基板、制御基板、メイン基板、電子部品、第二電子部品、電気部品、第二電気部品）が収容されている。回路基板６は、キーボード７と並行して設けられている。回路基板６は、壁部２ｍに固定されている。
【００２４】
また、本実施形態では、一例として、回路基板６には、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）、ＳＳＤ（solid  state  drive）等）、音声信号処理回路等を、含むことができる。制御回路は、表示装置４の表示画面４ａでの映像（動画や静止画等）の出力や、スピーカ（図示されず）での音声の出力、ＬＥＤ（light  emitting  diode、図示されず）での発光等を制御する。表示装置４や、スピーカ、ＬＥＤ等は、出力部の一例である。
【００２５】
また、本実施形態では、一例として、図３〜５に示されるように、電子機器１は、電気接続装置５０を備えている。電気接続装置５０は、図６〜８に示されるように、柔軟性（弾性）を有したフレキシブルプリント配線板５１，５２と、フレキシブルプリント配線板５１，５２が取り付けられた固定部材５３と、を備えている。フレキシブルプリント配線板５１（第一フレキシブルプリント配線板）は、表示装置４と回路基板６とを電気的に接続している。フレキシブルプリント配線板５２（第二フレキシブルプリント配線板、押部材、支部材、重部材、部材）は、フレキシブルプリント配線板５１と略対称な形状を呈しており、フレキシブルプリント配線板５１に重ねられて、フレキシブルプリント配線板５１を押さえている。一例として、フレキシブルプリント配線板５２は、ダミーであり、電子部品に電気的に接続されていない。また、フレキシブルプリント配線板５１，５２の間には、板部材５４が設けられている。また、第一筐体３および第二筐体２には、電気接続装置５０の一部が位置された開口部３ｕ，２ｕが設けられている。なお、図６〜８や１１，１２では、便宜上、電気接続装置５０が電子機器１に組み込まれていないときの電気接続装置５０の状態が示されている。
【００２６】
固定部材５３（部品、コア）は、図９，１０に示されるように、筒状の形状を呈している。固定部材５３は、第二筐体２に固定されている。固定部材５３は、一例として、壁部２ｍに固定部（図示せず）を介して固定されている。固定部材５３は、面（外面）５３ａ，５３ｂを有している。面５３ａは、第一筐体３内に位置し、面５３ｂは第二筐体２内に位置している。また、固定部材５３には、孔５３ｃが設けられている。孔５３ｃは、第二筐体２に対する第一筐体３のスライド方向Ａに固定部材５３を貫通して設けられている。孔５３ｃには、後述するフレキシブルプリント配線板５１の延在部５１ｃとフレキシブルプリント配線板５２の延在部５２ｃが通されている。孔５３ｃの周面５３ｇと延在部５１ｃ，５２ｃとの間には隙間が設けられている。
【００２７】
固定部材５３は、複数の部品（分割体）が組み合わされて構成されることができる。固定部材５３は、本実施形態では、一例として、面５３ａを含む第一部材５３ｄと、第一部材５３ｄに対して間隔をあけて設けられ面５３ｂを含む第二部材５３ｅと、第一部材５３ｄと第二部材５３ｅとの間に設けられたスペーサ５３ｆと、を有している。第一部材５３ｄおよび第二部材５３ｅとスペーサ５３ｆとは、例えば接着や溶着などによって相互に接続されている。なお、固定部材５３は、単一の部品によって構成されていてもよい。固定部材５３は、樹脂や金属、ガラス等によって構成することができる。
【００２８】
フレキシブルプリント配線板５１は、シート状に形成されている。フレキシブルプリント配線板５１は、長手方向の二つの端部５１ａ，５１ｂを有している。また、フレキシブルプリント配線板５１は、一例として、両端部５１ａ，５１ｂに設けられた端子部と、これらの端子部間に亘った導体と、導体および端子部が設けられた基材と、導体を覆う被覆部と、を含む。
【００２９】
端子部５１ａは、一例として、第一筐体３内に位置されている。端部５１ａ（第一端部）は、第一筐体３に対して固定され、表示装置４に電気的に接続されている。一例として、端部５１ａは、表示装置４に設けられたコネクタ５５（第一コネクタ）に接続されている。端部５１ａには、端子部（第一端子部）が設けられており、当該端子部がコネクタ５５に電気的に接続されている。このように、端部５１ａは、一例として、表示装置４（コネクタ５５）を介して第一筐体３に固定されている。
【００３０】
端部５１ｂ（第二端部）は、一例として、第二筐体２内に位置されている。端部５１ｂは、第二筐体２に対して固定され、回路基板６に電気的に接続されている。端部５１ｂは、回路基板６に設けられたコネクタ５６（第二コネクタ）に接続されている。端部５１ｂには、端子部（第二端子部）が設けられており、当該端子部がコネクタ５６に電気的に接続されている。また、端部５１ｂは、固定部材５３の面５３ｂに例えば接着等によって固定されている。このように、端部５１ｂは、一例として、固定部材５３や回路基板６（コネクタ５６）を介して第二筐体２に固定されている。
【００３１】
また、フレキシブルプリント配線板５１は、一例として、二つの延在部５１ｃ，５１ｄと、延在部５１ｃ，５１ｄ間に位置された折り返し部５１ｅと、を有している。
【００３２】
延在部５１ｃ（第一延在部、第一シート部）は、端部５１ａを有し、第二筐体２に対する第一筐体３のスライド方向Ａに沿って設けられている（延在している）。延在部５１ｄ（第二延在部、第二シート部）は、端部５１ｂを有し第一筐体３のスライド方向Ａに沿って設けられている（延在している）。
【００３３】
延在部５１ｄは、延在部５１ｃに間隔をあけて並べられている。延在部５１ｄは、第二筐体２内に位置されている。折り返し部５１ｅ（第一折り返し部、第一湾曲部）は、延在部５１ｃにおける端部５１ａとは反対側の端部５１ｆと、延在部５１ｄにおける端部５１ｂとは反対側の端部５１ｇとを接続している。
【００３４】
折り返し部５１ｅは、湾曲状の形状を呈している。フレキシブルプリント配線板５１では、図４〜図６に示されるように、第一筐体３のスライドによって折り返し部５１ｅがスライド方向Ａに移動する。
【００３５】
また、フレキシブルプリント配線板５２は、シート状に形成されている。フレキシブルプリント配線板５２は、一例として、長手方向の二つの端部５２ａ，５２ｂを有している。端部５２ａ，５２ｂには、それぞれ端子部が設けられている。端部５２ａ，５２ｂは、第一筐体３内に位置されている。端部５２ａ（第三端部）は、第一筐体３に対して固定されている。一例として、端部５２ａは、板部材５４を介してフレキシブルプリント配線板５１に固定されているとともに、コネクタ５５に接着等によって固定されている。したがって、本実施形態では、端部５２ａは、表示装置４を介して第一筐体３に固定されている。一方、端部５２ｂ（第四端部）は、第二筐体２に対して固定されている。一例として、端部５２ｂは、固定部材５３の面５３ａに接着等によって固定されている。つまり、端部５２ｂは、固定部材５３を介して第二筐体２に対して固定されている。
【００３６】
また、フレキシブルプリント配線板５２は、一例として、二つの延在部５２ｃ，５２ｄと、延在部５２ｃ，５２ｄ間に位置された折り返し部５２ｅと、を有している。
【００３７】
延在部５２ｃ（第三延在部、第三シート部）は、端部５２ａを有している。延在部５２ｃは、第一筐体３のスライド方向Ａに沿って設けられている（延在している）。延在部５２ｃは、延在部５１ｃにおける延在部５１ｄとは反対側に重ねられている。詳しくは、第三延在部５２ｃは、少なくとも一部が板部材５４を介して延在部５１ｃにおける延在部５１ｄとは反対側に重ねられている。延在部５２ｄの一部は、延在部５１ｄに固定されている。延在部５２ｄと延在部５１ｄとの固定範囲Ｂは、一例として、折り返し部５１ｅ，５２ｅが位置しない端部５２ａからの所定の範囲である。フレキシブルプリント配線板５２は、一例として、フレキシブルプリント配線板５１の補強部材として機能する。
【００３８】
延在部５２ｄ（第四延在部、第四シート部）は、端部５２ｂを有している。延在部５２ｄは、第一筐体３のスライド方向Ａに沿って設けられている（延在している）。延在部５２ｄは、延在部５２ｃに間隔をあけて並べられている。
【００３９】
折り返し部５２ｅ（第二折り返し部）は、折り返し部５１ｅから遠ざかる方向に延在部５２ｃにおける端部５２ａとは反対側の端部５２ｆから延出し延在部５２ｄにおける端部５２ｂとは反対側の端部５２ｇへ至っている。折り返し部５２ｅは、湾曲状の形状を呈している。折り返し部５２ｅは、スライド方向Ａで、折り返し部５１ｅと略同じ位置に位置されている。折り返し部５２ｅと折り返し部５１ｅとは、略対称形状となっている。
【００４０】
フレキシブルプリント配線板５２は、第一筐体３のスライドによって折り返し部５２ｅが第一筐体３のスライド方向Ａに沿って移動する。なお、本実施形態では、支持部材の一例として、フレキシブルプリント配線板５２の例を説明したが、これに限るものではない。例えば、支持部材としては、フレキシブルプリント配線板以外のシート状部材や棒状部材などであってよい。
【００４１】
フレキシブルプリント配線板５１は、一例として、複数のフレキシブルプリント配線板５１が並べて設けられたロール状の素材から切断されたものであり、フレキシブルプリント配線板５１は、一例として、複数のフレキシブルプリント配線板５２が並べて設けられたロール状の素材から切断されたものである。本実施形態では、一例として、フレキシブルプリント配線板５１とフレキシブルプリント配線板５２とは、略同一構成である。このようなフレキシブルプリント配線板５１，５２は、自由状態では所定の湾曲状態（カール）となっている。本実施形態では、このような湾曲状態のフレキシブルプリント配線板５１，５２の湾曲の曲率が自由状態の場合よりも小さくなるようにフレキシブルプリント配線板５１，５２を更に湾曲させることで折り返し部５１ｅ，５２ｅを設けてある。したがって、フレキシブルプリント配線板５１は、延在部５１ｃと第二延在部５１ｄとが離れる方向への弾性力を有し、フレキシブルプリント配線板５２は、延在部５２ｃと延在部５２ｄとが離れる方向への弾性力を有している。このような構成により、フレキシブルプリント配線板５１，５２は、延在部５１ｃ，５２ｃによって相互に押し合っている。
【００４２】
板部材５４（補強部材）は、フレキシブルプリント配線板５１の延在部５１ｃとフレキシブルプリント配線板５２の延在部５２ｃとの間に位置されている。つまり、板部材５４は、延在部５１ｃ，５２ｃに挟まれている。板部材５４は、延在部５１ｃ，５２ｃに例えば接着等によって固定されている。板部材５４は、一例として、フレキシブルプリント配線板５１の幅方向の両端部５１ｈ，５１ｉに亘って設けられている。この板部材５４によって、延在部５１ｃ，５２ｃの剛性が向上される。板部材５４は、例えば、ステンレス等の金属や、樹脂、セラミックス等によって構成されうる。
【００４３】
また、第一筐体３内には、図４に示されるように、当接部５７（第一当接部、当接部材、押さえ部、押さえ部材）が設けられている。当接部５７は、一例として、板状を呈しており、表示装置４におけるフレキシブルプリント配線板５２側に位置されて表示装置４に固定されている。フレキシブルプリント配線板５２の延在部５２ｄが表示装置４側に変形した場合に当該延在部５２ｄが当接部５７に当接可能となっている。なお、延在部５２ｄが常に当接部５７に当接していてもよい。
【００４４】
また、第二筐体２内には、当接部５８（第二当接部、当接部材、押さえ部、押さえ部材）が設けられている。当接部５８は、一例として、板状を呈しており、回路基板６のフレキシブルプリント配線板５１側に位置され第二筐体２に固定されている。延在部５１ｄが回路基板６側に変形した場合に当該延在部５１ｄが当接部５８に当接可能となっている。なお、延在部５１ｄが常に当接部５８に当接していてもよい。
【００４５】
また、本実施形態では、一例として、キーボード７が、フレキシブルプリント配線板５１とフレキシブルプリント配線板５２との間に挿脱される挿脱部（介在部）として機能する。また、一例として、本実施形態では、キーボード７に湾曲状の案内部７ｂが設けられている。案内部７ｂは、キーボード７の奥側の端部に設けられている。案内部７ｂは、フレキシブルプリント配線板５１とフレキシブルプリント配線板５２との間にキーボード７が挿入される際に、フレキシブルプリント配線板５２を案内する。
【００４６】
以上の構成の電子機器１において、電子機器１が展開状態の場合は、図３に示されるように、フレキシブルプリント配線板５１，５２の延在部５１ｃ，５１ｄは、キーボード７から離間されている。この状態から、電子機器１が重なり状態となるように第一筐体３が第二筐体２に対してスライドされた場合（図４，５）、延在部５１ｃ，５１ｄ間にキーボード７が挿入される。この際、折り返し部５１ｅおよび延在部５１ｃは案内部７ｂによって案内されて回路基板６側へ移動される。このスライドの際、フレキシブルプリント配線板５１は、このときのスライド方向Ａ１に沿った力で押される。この際、一例として、フレキシブルプリント配線板５１の延在部５１ｃがフレキシブルプリント配線板５２の延在部５２ｃを押すように変形しようとするが、当該変形は延在部５１ｃがフレキシブルプリント配線板５２の延在部５２ｃによって押されることにより抑えられる。詳しくは、一例として、延在部５２ｃが、延在部５１ｃを押すように変形しようとする。つまり、フレキシブルプリント配線板５１，５２（延在部５１ｃ，５１ｄ）に発生する変形ベクトルが相殺される。これにより、延在部５１ｃ，５１ｄに、スライド方向Ａ１に沿った方向に押し力が安定して作用する。以上により、フレキシブルプリント配線板５１に座屈やじゃむりが生じるのが抑制される。
【００４７】
以上説明したとおり、本実施形態の電子機器１では、フレキシブルプリント配線板５１にフレキシブルプリント配線板５２が重ねて設けられていることにより、フレキシブルプリント配線板５１に座屈やじゃむりが生じるのを抑制することができる。よって、フレキシブルプリント配線板５１に損傷等の不都合が生じにくい。
【００４８】
また、本実施形態では、延在部５１ｃ，５２ｃ間に板部材５４が設けられているので、延在部５１ｃの座屈やじゃむりの発生をより抑制することができる。
【００４９】
また、本実施形態では、延在部５１ｃ，５２ｃが固定部材５３の孔５３ｃを通っているので、延在部５１ｃ，５２ｃと電気接続装置５０の周囲の部品（第一筐体３や第二筐体２等）との干渉を抑制することができる。
【００５０】
また、本実施形態では、押部材がフレキシブルプリント配線板５１と同様にフレキシブルプリント配線板５２であるので、熱変形等の特性がフレキシブルプリント配線板５１，５２同士で略同一となるので、よりフレキシブルプリント配線板５１の座屈やじゃむりの発生をフレキシブルプリント配線板５２によって抑えることができる。
【００５１】
なお、本実施形態では、フレキシブルプリント配線板５２がダミーとして設けられているが、フレキシブルプリント配線板５２は電子部品同士を電気的に接続していてもよい。
【００５２】
［第２実施形態］
本実施形態では、図１３に示されるように、固定部材５３において、フレキシブルプリント配線板５１に面する孔５３ｃの周面５３ｇの端部５３ｈ，５３ｉに湾曲状の部分５３ｊ（湾曲部、案内部）が設けられている。
【００５３】
本実施形態によれば、固定部材５３の孔５３ｃ内をフレキシブルプリント配線板５１，５２が移動する際に、振動などによってフレキシブルプリント配線板５１，５２が周面５３ｇの部分５３ｊに当たる場合でも、当該部分５３ｊが湾曲状であるので、フレキシブルプリント配線板５１，５２が損傷することを抑制することができる。
【００５４】
［第３実施形態］
本実施形態では、図１４，１５に示されるように、板部材５４が、フレキシブルプリント配線板５１の幅方向の両端部５１ｈ，５１ｉにそれぞれ設けられている。つまり、板部材５４が二つ設けられている。このような構成によっても、第１の実施形態と同様に、延在部５１ｃの座屈やじゃむりの発生をより抑制することができる。
【００５５】
［第４実施形態］
本実施形態では、図１６〜図１９に示されるように、電気接続装置５０に、第一の実施形態の板部材５４が設けられていない。このような構成でも、フレキシブルプリント配線板５２によってフレキシブルプリント配線板５１の座屈やじゃむりの発生を抑えることができる。
【００５６】
［第５実施形態］
本実施形態では、図２０，２１に示されるように、固定部材５３が、面５３ａを含む第一部材５３ｄＡと、面５３ｂを含む第二部材５３ｅＡとが、固定具６０（例えばねじ）によって、第二筐体２の固定部２ｖに固定されている。固定部材５３には、孔５３ｃが設けられている。第一部材５３ｄＡと第二部材５３ｅＡとの間には、スペーサ５３ｆＡが介在している。この構成では、一例として、第二部材５３ｅＡに第一部材５３ｄＡを取り付ける前に、第一部材５３ｄＡと第二部材５３ｅＡとの間にフレキシブルプリント配線板５１，５２を位置させ、その後、第二部材５３ｅＡに第一部材５３ｄＡを取り付けて、固定部材５３を第一筐体３に固定することができる。よって、比較的容易に固定部材５３にフレキシブルプリント配線板５１，５２をセットすることができる。なお、図２０，２１の例では、板部材５４が設けられていない。
【００５７】
また、本実施形態では、フレキシブルプリント配線板５１，５２に面する孔５３ｃの周面５３ｇの端部５３ｈ，５３ｉに、周囲よりも摩擦係数が小さい部分５３ｋ（領域、被覆部）が設けられている。当該部分５３ｋは、例えば、シリコーンやテフロン（登録商標）などの膜である。本実形態では、一例として、第一部材５３ｄＡおよび第二部材５３ｅＡは、例えば樹脂や金属であり、部分５３ｋは、第一部材５３ｄＡおよび第二部材５３ｅＡよりも摩擦係数（フレキシブルプリント配線板５１，５２に対する摩擦係数）が小さい。この構成では、固定部材５３Ａの孔５３ｃ内をフレキシブルプリント配線板５１，５２が移動する際に、振動などによってフレキシブルプリント配線板５１，５２が周面５３ｇの部分５３ｋに当たる場合でも、当該部分５３ｋの摩擦係数がその周囲の摩擦係数よりも小さいので、フレキシブルプリント配線板５１，５２が損傷することを抑制することができる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１…電子機器、２…第二筐体、３…第一筐体、４…表示装置（第一電子部品）、６…回路基板（第二電子部品）、５０…電気接続装置、５１…第一フレキシブルプリント配線板、５１ａ…端部（第一端部）、５１ｂ…端部（第二端部）、５１ｃ…延在部（第一延在部）、５１ｄ…延在部（第二延在部）、５１ｅ…折り返し部（第一折り返し部）、５１ｆ…端部、５１ｇ…端部、５１ｈ…端部、５１ｉ…端部、５２…フレキシブルプリント配線板（押部材）、５２ａ…端部（第三端部）、５２ｂ…端部（第四端部）、５２ｃ…延在部（第三延在部）、５２ｄ…延在部（第四延在部）、５２ｅ…折り返し部（第二折り返し部）、５２ｆ…端部、５２ｇ…端部、５３…固定部材、５３ｃ…孔、５３ｇ…周面、５３ｈ…端部、５３ｉ…端部、５３ｊ…部分、５３ｋ…部分、５４…板部材、５５…コネクタ、５６…コネクタ、５７…当接部、５８…当接部。
【図１】
2014093309.tif 000003
【図２】
2014093309.tif 000004
【図３】
2014093309.tif 000005
【図４】
2014093309.tif 000006
【図５】
2014093309.tif 000007
【図６】
2014093309.tif 000008
【図７】
2014093309.tif 000009
【図８】
2014093309.tif 000010
【図９】
2014093309.tif 000011
【図１０】
2014093309.tif 000012
【図１１】
2014093309.tif 000013
【図１２】
2014093309.tif 000014
【図１３】
2014093309.tif 000015
【図１４】
2014093309.tif 000016
【図１５】
2014093309.tif 000017
【図１６】
2014093309.tif 000018
【図１７】
2014093309.tif 000019
【図１８】
2014093309.tif 000020
【図１９】
2014093309.tif 000021
【図２０】
2014093309.tif 000022
【図２１】
2014093309.tif 000023